(57)【要約】電気使用物であって、埋め込み式のボックス（７）と、ボックス（７）に適用されるフレーム（２）と、フレーム（２）を覆うためのカバー（３）と、を備える。カバー（３）は、フレーム（２）から取り外し可能であり、充電式電池（３２）と、電気デバイス（３１）と、を備える。
2021524994.tif 000002
【特許請求の範囲】
【請求項１】
電気使用物であって、
埋め込み式のボックス（７）と、
前記ボックス（７）に適用されるフレーム（２）と、
前記フレーム（２）を覆うためのカバー（３）と、を備え、
前記カバー（３）は、前記フレーム（２）から取り外し可能であり、前記カバー（３）は、
i）充電式電池（３２）と、
ii）電気デバイス（３１）と、を備える、電気使用物。
【請求項２】
前記カバー（３）が前記フレーム（２）に適用される構成において、前記カバー（３）が電気グリッドによって電力を供給され、前記カバー（３）が前記フレーム（２）から完全に取り外されている構成において、前記電池（３２）が前記電気デバイス（３１）に電力を供給する、請求項１に記載の使用物。
【請求項３】
前記電気デバイス（３１）の上流に配置された電気変圧器（６）を備える、請求項１または２に記載の使用物。
【請求項４】
前記カバー（３）が、他の電子装置と情報をやり取りすることを目的とした無線データ送信および／または受信手段を備える、請求項１から３のいずれか１項に記載の使用物。
【請求項５】
前記フレーム（２）が前記埋め込み式のボックス（７）を塞ぎ、前記カバー（３）は、少なくとも、その背後の前記フレーム（２）へのアクセスを可能にする開構成と、前記開構成においてよりも、その背後の前記フレーム（２）を隠す閉構成との間で移動可能である、請求項１から４のいずれか１項に記載の使用物。
【請求項６】
前記カバー（３）に配置された前記電気デバイス（３１）が、少なくとも、前記フレーム（２）に拘束されている構成において、前記フレーム（２）に設けられた少なくとも１つの電気接点（２１）を介して電力を供給される、請求項１から５のいずれか１項に記載の使用物。
【請求項７】
前記フレーム（２）が前記カバー（３）を案内するための案内手段（２２）を備え、前記案内手段（２２）が前記カバー（３）の横方向のスライドを可能にする、請求項１から６のいずれか１項に記載の使用物。
【請求項８】
前記カバー（３）が、前記電気デバイス（３１）のユーザインタフェース（３４）が設けられている前面（３３）を備える、請求項１から７のいずれか１項に記載の使用物。
【請求項９】
前記電気デバイス（３１）が、ドモティック制御デバイス、またはスピーカ、または電話／タブレットのための無線充電デバイス、またはフレグランス／殺虫剤ディフューザ、またはサーモスタット、または監視システム、または電流消費検出手段を備える、請求項１から８のいずれか１項に記載の使用物。
【請求項１０】
システムであって、
請求項１から９のいずれか１項に記載の電気使用物と、
少なくとも１つの追加の電気ボックスおよび前記追加の電気ボックスに適用される追加のフレームと、を備え、
前記電気使用物の前記カバー（３）は、前記追加のフレームに適用可能であり、前記追加のフレームに適用される構成において、前記追加の電気ボックスによって電力を供給される、システム。
【発明の詳細な説明】
【技術分野】
【０００１】
本発明は、電気使用物（electrical user）に関する。
【背景技術】
【０００２】
ドモティック（domotic）制御を可能にする電子デバイスが知られている。それらは、ユーザインタフェースを規定する埋め込み式のウォールディスプレイを備え、当該ウォールディスプレイを介して、ユーザは家庭内のアプリケーションと情報をやり取りできる。
【発明の概要】
【０００３】
本発明の目的は、最大限の使用の柔軟性を可能にする電気使用物を提案することである。本発明のさらなる目的は、建物に部分的に存在するインフラストラクチャを利用して、ドモティック制御装置の導入を容易にすることである。
【０００４】
記載された技術的課題および特定された目的は、添付の特許請求の範囲の請求項の１つまたは複数に記載された技術的特徴を備える電気使用物によって実質的に達成される。
【図面の簡単な説明】
【０００５】
本発明のさらなる特徴および利点は、添付の図面に示されているように、電気使用物の、以下の暗示的な、したがって非限定的な説明からより明らかになるであろう。
【図１−２】２つの異なる構成における本発明による電気使用物の詳細を示す。
【図３−５】本発明による電気使用物の詳細を示す。
【図６】図１および２の解決策に代わる、電気使用物のさらなる発展的な解決策を示す。
【図７−９】電気プラグが挿入された構成における図６および１０の電気使用物を示す。
【図１０】図１および２の解決策に代わる、電気使用物のさらなる発展的な解決策を示す。
【図１１】本発明による電気使用物の詳細を示す。
【発明を実施するための形態】
【０００６】
本発明は、埋め込み式の電気使用物に関する。
【０００７】
そのような電気使用物は、
フレーム２と、
フレーム２をカバーするためのカバー３と、を備える。
【０００８】
適切には、電気使用物は、（通常、壁または壁の一部に埋め込まれ得る）埋め込み式の電気ボックス７を備える。フレーム２は、電気ボックス７に適用可能である（またはより良く係合可能である）。フレーム２は、電気ボックス７の開口部を塞ぐ。フレーム２は、図２に例示されるように、閉鎖プレートを含むことができる。ボックス７は、主電源に接続されている。
【０００９】
カバー３は、少なくとも開構成と閉構成との間で移動可能である。開構成では、カバー３は、背後のフレーム２へのアクセスを許容する。閉構成では、カバー３は、開構成においてよりも、その後ろにフレーム２を隠す。
【００１０】
カバー３は、電気デバイス３１を備える。電気デバイス３１は、それ自体の動作のために電気を使用するデバイスとして意図されている。したがって、また、あらゆる電子デバイスが意図されている。
【００１１】
適切には、電気使用物は、変圧器６を備える。この変圧器６は、電気デバイス３１の上流に動作可能に配置されている。この変圧器６は、フレーム２またはボックス７に取り付けられる。
【００１２】
カバー３は、他の電子機器と情報をやり取りすることを目的とした無線データ送信／または受信手段を備える。したがって、フレーム２から離れていても、その動作は損なわれない。無線手段は、他のデバイスと情報をやり取りし、ドモティック制御を行うために不可欠である。
【００１３】
有利なことに、カバー３はフレーム２から完全に取り外し可能である。カバー３は持ち運び可能である。したがって、ユーザは、フレーム２からカバー３を取り外して、フレーム２から離れていても電気デバイス３を使用することができる。これに関して、カバー３は、前記電気デバイス３１に電力を供給するための電池を備える。
【００１４】
カバー３がフレーム２に適用される構成では、カバー３は、電気グリッドによって電力を供給される。カバー３がフレーム２から完全に取り外されている構成では、電池が電気デバイス３１に電力を供給する。
【００１５】
電池はバッファ電池の機能を果たす。電池は、カバー３がフレーム２から完全に取り外されており、したがって主電源から電力が供給されていない場合でも、正しく動作することを保証する。このような電池は、適切には充電式タイプである。電池は、ボックス７に電力を供給する主電源を利用することによって充電される。これは、カバー３がフレーム２に接続されている少なくとも１つの所定の構成において行われる。好ましくは、これは、カバー３がフレーム２に接続されているあらゆる構成において発生する。
【００１６】
カバー３に配置された電気デバイス３１は、少なくともそれがフレーム２に拘束されている構成では、実際には電力供給されている。適切には、これは、フレーム２に設けられた少なくとも１つの電気接点２１を介して（場合により、電池の介在を介して）行われる。
【００１７】
フレーム２はまた、カバー３を案内するための案内手段２２を備える。案内手段２２は、カバー３のスライドを可能にする。好ましくは、スライドは、横方向または上部と下部との間であり得る。通常、このスライドは並進である。好ましい解決策では、カバー３は、横方向のスライドストロークの終わりにフレーム２から完全に取り外し可能である。
【００１８】
カバー３は、導電性材料のストリップ３１０を備え得る。このストリップ３１０は、前記カバー３の異なる開口度に対応する複数の構成で前記接点２１と電気的に連通している。
【００１９】
ストリップ３１０は、フレーム２に設けられた少なくとも電気接点２１と組み合わせて、カバー３のスライドの少なくとも一部のための横方向のスライド電気接点を規定する。この一部は、閉構成から完全な開構成までのカバー３のストロークの少なくとも６０％に影響する。この完全な開構成は、ストロークエンドによって規定される。カバー３をさらに引き抜くと、フレーム２からカバーが取り外される。これは、例えば、（例えば、プラスチック材料で作られた当接部であり得る）エンドストロークを（少なくとも部分的に弾性的に）変形させる可能性がある。
【００２０】
カバー３は必ずしもスライド可能である必要はない。例えば、代替の解決策では、カバー３はドアであり得る。この場合、カバー３は、フレームに対して結合および結合解除するための手段を有し得る。
【００２１】
適切には、カバー３は、前記電気デバイス３１のユーザインタフェース３４を備える。適切には、ユーザインタフェース３４は、カバー３の前面３３に設けられている。このユーザインタフェース３４は、例えば、タッチスクリーン制御を備えたディスプレイを備えることができる。
【００２２】
図１、２、６−１０では、前面３３がディスプレイによって完全に（または、いずれの場合も少なくとも７０％）占有されている。
【００２３】
電気デバイス３１は、様々なタイプのものであり得る。例えば、それはドモティック制御デバイスを備えることができる。
【００２４】
デバイス３１は、スピーカであり得る。これは、無線モードで入力信号とインタフェースするように適合されている。
【００２５】
図５に例示されるように、デバイス３１は、電話／タブレット用の充電デバイス（無線またはその他）であり得る。これに関して、デバイス３１は、無線充電のために電話／タブレットを少なくとも部分的に挿入するためのポケット８を規定することができる。
【００２６】
図５にさらに例示されているように、デバイス３１はサーモスタットであり得る。これに関して、前面はボタンと目に見えるディスプレイとを備える。
【００２７】
この場合、デバイス３１は温度センサを備えることができ、温度センサによって、上記のドモティック制御デバイスは温度調整手段（例えば、ボイラ、ヒートポンプ、冷却システムなど）を作動できる。
【００２８】
図３に例示されるように、デバイス３１は、環境を脱臭するためのフレグランスディフューザを備えることができる。例えば、事前に規定された、または調整可能な時間間隔で、デバイス３１はフレグラントジェットを放出する。別の解決策では、デバイス３１は、脱臭フレグランスの代わりに、（例えば、環境内の蚊の存在に対抗するために）殺虫剤を放出し得る。
【００２９】
図４に例示されるように、デバイス３１はまた、監視システムであり得る。この監視システムは様々なタイプであり得る。例えば、それは盗難防止の目的を持ち得る。また一方、そのような監視システムは、乳幼児、高齢者、気分が悪い人などを監視する監視機能を有し得る。これに関して、監視システムは、カメラおよび／またはマイクロフォンを備えることができる。監視システムは、携帯電話などに無線モードでデータを送信できる。追加的に、または代替として、監視システムは、そのようなデータをメモリに記録することもできる。
【００３０】
さらなる解決策では、デバイス３１は、（流量計としても知られている）電流消費検出手段または他の使用物のものを含むことができる。したがって、これにより、電気ソケット４、電気ソケットのグループ、または建物全体に関連する消費電流を検出できる。
【００３１】
デバイス３１は、電話通信を可能にする装置であり得る。それはコードレスであるか、あるいは、携帯電話またはタブレットの１つまたは複数の機能をデバイス３１のディスプレイに再現することができる。
【００３２】
適切には、使用物は、フレーム２に適用される少なくとも１つの電力／データ送信ソケット４を備えることができ、このソケット４は隠されている。ソケット４は電気コンセントである。ソケット４は、同軸アンテナケーブル経由のＨＤＭＩ（登録商標）ソケット、ＵＳＢソケットなどであり得る。ソケット４は、主電源に接続されている。有利なことに、ソケット４はフレーム２に取り付けられ得る。別の構成では、ソケット４はフレーム２の単一の本体に少なくとも部分的に一体化され得る。
【００３３】
ソケット４は、電気ボックス７内に少なくとも部分的に埋め込まれている。図９では、電気ボックス７がソケット４と組み合わせて示されているが、代替の解決策では、ボックス７の存在は、必ずしも隠されたソケット４の存在に拘束されない。
【００３４】
適切には、開構成のカバー３は、ソケット４をあらわにし、それを外側から見えるようにする。閉構成では、カバー３は通常、ソケット４を後ろに隠す。閉構成では、ハウジング３０は、フレーム２とカバー３との間に識別される。閉構成では、ハウジング３０は、ソケット４に接続された電気プラグを収容するように適合されている。プラグは、図３および４に示されており、ソケット４に挿入されている（これらの図では、カバー３が開いており、プラグを後ろに見ることができる）。有利には、フレーム２はコーニス２３を備えることができる。コーニス２３は、前記ハウジング３０へのアクセス開口部を適切に取り囲んでいる。コーニス２３は、電気ケーブルの通過を可能にする／容易にするように適合された溝２４を備える（このケーブルは、電気使用物１にとって在外のもの（foreign）であるが、正確には、ソケット４に接続される器具である）。溝２４は、カバー３の閉構成においても電気ケーブルの通過を可能にするという点で重要である。
【００３５】
有利には、フレーム２は、ソケット４を方向付けることを可能にする傾斜手段５を備える。特に、傾斜手段５は、プラグの挿入に適したソケット４の各穴が、閉構成のカバー３に実質的に平行である同じ平面上に一緒に存在する構成をとり得る（図３を参照。この配置により、ドイツタイプのプラグを収納することを可能にする）。さらに、傾斜手段５は、それらが溝２４に向けられ、ソケット４に挿入されたプラグの電気ケーブルの取り出し（exit）を容易にする構成をとる（図４を参照。これにより、イタリアタイプのプラグ、または、いずれにせよ、プラグの接点とプラグに挿入する電気ケーブルの端子部分が同じ方向に沿って延伸するプラグの収容が容易になる）。
【００３６】
本発明の目的はまた、システムであって、
上記の特性の１つまたは複数を有する電気使用物と、
少なくとも１つの追加の電気ボックスと追加の電気ボックスに適用される追加のフレームと、を備えるシステムである。この追加の電気ボックスは、元々電気ソケットまたは電流スイッチ用のものであり得る。
【００３７】
電気使用物のカバー３は、追加のフレームに適用可能であり、追加のフレームに適用される構成において、追加の電気ボックスによって電力を供給される。
【００３８】
本発明は重要な利点を達成する。
【００３９】
第一に、従来の電源ボックスの動作を拡張し、新しい機能でそれらを充実させ、部品の配置を最適化することを可能にする。特に、カバー３は、新しい機能に利用できるオブジェクトを構成する。それが電気ボックスに配置されることを考えると、電源が必要なデバイスの収納に問題はない。
【００４０】
さらに、カバー３は取り外し可能である。したがって、ユーザは建物内を移動するときにそれを持ち運び、ドモティック制御デバイスとして使用できる（ライトをオンにする、ブラインドを開く、ヒータをオンにする、食器洗い機を起動するなど）。
【００４１】
さらに、建物内には様々な場所に多数のソケットが分散している。したがって、カバー３をある部屋から別の部屋に移動し、様々な環境に存在する事前に配置されたフレームに挿入することができる（バッファ電池の消耗を回避するため）。
【００４２】
着想された本発明は、多くの修正および変形を許容し、それらはすべて、それを特徴付ける本発明の概念の範囲内にある。さらに、すべての詳細を他の技術的に同等の要素に置き換えることができる。実際には、使用されるすべての材料、および寸法は、要件に応じて任意であり得る。
【図１】
2021524994.tif 000003
【図２】
2021524994.tif 000004
【図３】
2021524994.tif 000005
【図４】
2021524994.tif 000006
【図５】
2021524994.tif 000007
【図６】
2021524994.tif 000008
【図７】
2021524994.tif 000009
【図８】
2021524994.tif 000010
【図９】
2021524994.tif 000011
【図１０】
2021524994.tif 000012
【図１１】
2021524994.tif 000013
【国際調査報告】
2021524994.tif 000014
2021524994.tif 000015